(57)【要約】      （修正有）【課題】機能の状態確認や設定の選択を行うための情報表示を備えた電子時計を提供する。【解決手段】電子時計１０は、文字板１１と、電力を蓄積する二次電池と、衛星信号を受信し現地時刻を表示するワールドタイム機能と、を備え、文字板１１には、衛星信号の受信モード表示８１と、衛星信号の受信禁止表示８２と、二次電池の充電量表示８３とを含む、情報表示部７０が設けられ、情報表示部７０には、受信モード表示８１、受信禁止表示８２、充電量表示８３が順に配置されている。【選択図】図２
2015169496.tif 000002
【特許請求の範囲】
【請求項１】
文字板と、
電力を蓄積する二次電池と、
衛星信号を受信し現地時刻を表示するワールドタイム機能と、を備え、
前記文字板には、前記衛星信号の受信モード表示と、前記衛星信号の受信禁止表示と、
前記二次電池の充電量表示とを含む、情報表示部が設けられ、
前記情報表示部には、前記受信モード表示、前記受信禁止表示、前記充電量表示が順に
配置されていることを特徴とする電子時計。
【請求項２】
前記充電量表示は、前記受信禁止表示に隣り合う一端側が満状態を表し、他端側が空状
態を表すことを特徴とする請求項１に記載の電子時計。
【請求項３】
前記情報表示部には、サマータイム表示を含み、
前記情報表示部には、前記受信モード表示、前記受信禁止表示、前記充電量表示、前記
サマータイム表示が順に配置されていることを特徴とする請求項１または２に記載の電子
時計。
【請求項４】
前記情報表示部は、小時計で設けられていることを特徴とする請求項１から３のいずれ
か一項に記載の電子時計。
【請求項５】
前記受信モード表示、前記受信禁止表示、前記充電量表示は、前記情報表示部の１２時
位置と６時位置とを結ぶ直線の９時側の範囲に設けられていることを特徴とする請求項１
から４のいずれか一項に記載の電子時計。
【請求項６】
前記情報表示部を指し示す指針を備えていることを特徴とする請求項１から５のいずれ
か一項に記載の電子時計。
【請求項７】
前記情報表示部の中心を左回りに、前記受信モード表示、前記受信禁止表示、前記充電
量表示が順に配置されていることを特徴とする請求項１から６のいずれか一項に記載の電
子時計。
【請求項８】
文字板と、
電力を蓄積する二次電池と、
衛星信号を受信し現地時刻を表示するワールドタイム機能と、を備え、
前記文字板には、前記二次電池の充電量表示と、前記衛星信号の受信モード表示と、前
記衛星信号の受信禁止表示とを含む、情報表示部が設けられ、
前記情報表示部には、前記充電量表示、前記受信モード表示、前記受信禁止表示が順に
配置されていることを特徴とする電子時計。
【請求項９】
前記充電量表示は、前記受信モード表示に隣り合う一端側が空状態を表し、他端側が満
状態を表すことを特徴とする請求項８に記載の電子時計。
【請求項１０】
前記情報表示部には、サマータイム表示を含み、
前記情報表示部には、前記充電量表示、前記受信モード表示、前記受信禁止表示、前記
サマータイム表示が順に配置されていることを特徴とする請求項８または９に記載の電子
時計。
【請求項１１】
前記情報表示部は、小時計で設けられていることを特徴とする請求項８から１０のいず
れか一項に記載の電子時計。
【請求項１２】
前記充電量表示、前記受信モード表示、前記受信禁止表示は、前記情報表示部の１２時
位置と６時位置とを結ぶ直線の９時側の範囲に設けられていることを特徴とする請求項８
から１１のいずれか一項に記載の電子時計。
【請求項１３】
前記情報表示部を指し示す指針を備えていることを特徴とする請求項８から１２のいず
れか一項に記載の電子時計。
【請求項１４】
前記情報表示部の中心を左回りに、前記充電量表示、前記受信モード表示、前記受信禁
止表示が順に配置されていることを特徴とする請求項８から１３のいずれか一項に記載の
電子時計。
【発明の詳細な説明】
【技術分野】
【０００１】
本発明は、電子時計に関する。
【背景技術】
【０００２】
従来、衛星信号を受信して現在地の現地時刻を表示するワールドタイム機能を備えた電
子時計が知られていた。例えば、特許文献１には、地図が表示された文字板と、複数の指
針とを備え、現在地と現地時刻とを表示する腕時計が開示されている。この腕時計は、Ｇ
ＰＳ（Global Positioning System：全地球測位システム）などの航法衛星から衛星信号
を受信する受信部を備え、４個の航法衛星からの信号を受信して現在地の位置情報と時刻
情報とを求めて、現地時刻の表示をしている。
【先行技術文献】
【特許文献】
【０００３】
【特許文献１】特開２００９−１７５０４４号公報
【発明の概要】
【発明が解決しようとする課題】
【０００４】
しかしながら、特許文献１に記載の電子時計は、表示エリアの制限により、衛星信号の
受信およびサマータイムなどに関する設定や状態を表示させる情報表示が不足していた。
例えば、ワールドタイム機能を備えた電子時計は、衛星信号の受信が禁止されている場所
において、電子時計に衛星信号の受信を停止させる受信禁止の設定を行う必要があるが、
現在、設定されている状態の確認や設定を変更するための選択を容易に行う表示がなかっ
た。したがって、特許文献１に記載の電子時計は、電子時計の備える多くの機能の状態確
認や設定の選択を容易に行うための情報表示を設けなければならないという課題があった
。
【課題を解決するための手段】
【０００５】
本発明は、上述の課題の少なくとも一部を解決するためになされたものであり、以下の
形態または適用例として実現することが可能である。
【０００６】
［適用例１］本適用例に係る電子時計は、文字板と、電力を蓄積する二次電池と、衛星
信号を受信し現地時刻を表示するワールドタイム機能と、を備え、前記文字板には、前記
衛星信号の受信モード表示と、前記衛星信号の受信禁止表示と、前記二次電池の充電量表
示とを含む、情報表示部が設けられ、前記情報表示部には、前記受信モード表示、前記受
信禁止表示、前記充電量表示が順に配置されていることを特徴とする。
【０００７】
本適用例によれば、電子時計は、航法衛星から送信されている衛星信号を受信して現在
地の位置情報と時刻情報とを算出し、現地時刻を表示するワールドタイム機能を含む多く
の機能を備えた腕時計である。電子時計の文字板には、各種機能の状態確認や設定の選択
を行うために使用される表示を、視認性よく配置する情報表示部が、例えば、円または円
弧状などの形状で設けられている。情報表示部（円または円弧）には、衛星信号の受信方
法の選択または状態を表す受信モード表示、電子時計に衛星信号の受信を停止させる受信
禁止表示、電子時計に備えられている二次電池の充電量表示、が順に配置されている。こ
れにより、充電量表示や衛星信号の受信に関する機能の状態確認または選択を行うための
表示を限られたスペースに分かり易く配置することができる。したがって、多くの機能の
状態確認や設定の選択を行うための情報表示を備えた電子時計を提供することができる。
【０００８】
［適用例２］上記適用例に記載の電子時計において、前記充電量表示は、前記受信禁止
表示に隣り合う一端側が満状態を表し、他端側が空状態を表すことが好ましい。
【０００９】
本適用例によれば、電子時計は、受信禁止表示に隣り合う一端側が満状態を表し、他端
側が空状態を表す二次電池の充電量表示を備えている。二次電池が満充電の場合には、衛
星信号の受信許可は充電量表示の満状態で表される。これにより、衛星信号の受信禁止と
受信許可とを表す情報表示が隣り合うことになり、受信許可と受信禁止との選択の操作性
を向上させることができる。したがって、多くの機能の状態確認や設定の選択を行うため
の情報表示を備え、その操作性を向上させた電子時計を提供することができる。
【００１０】
［適用例３］上記適用例に記載の電子時計において、前記情報表示部には、サマータイ
ム表示を含み、前記情報表示部には、前記受信モード表示、前記受信禁止表示、前記充電
量表示、前記サマータイム表示が順に配置されていることが好ましい。
【００１１】
本適用例によれば、電子時計の情報表示部（例えば、円または円弧）には、受信モード
表示、受信禁止表示、充電量表示、夏時間（サマータイム）のＯＮ／ＯＦＦの選択または
状態を表すサマータイム表示、が順に配置されている。サマータイム表示には、充電量表
示に隣り合う一方側にＯＦＦ表記が、他方側にＯＮ表記が設けられている。これにより、
衛星信号受信禁止（ＯＦＦ）表示、衛星信号受信許可（ＯＮ）表示（充電量表示）、サマ
ータイム表示のＯＦＦ表記、サマータイム表示のＯＮ表記、の順にＯＮとＯＦＦとの選択
または状態を表す情報表示を並べることができる。これにより、衛星信号受信およびサー
タイムのＯＮ／ＯＦＦの選択の操作性と視認性とを向上させることができる。したがって
、多くの機能の状態確認や設定の選択を行うための情報表示を備え、その操作性と視認性
を向上させた電子時計を提供することができる。
【００１２】
［適用例４］上記適用例に記載の電子時計において、前記情報表示部は、小時計で設け
られていることが好ましい。
【００１３】
本適用例によれば、電子時計は、文字板に小時計を備え、情報表示部は小時計に設けら
れている。これにより、情報表示部に備えられている情報表示と他の情報表示とを混在さ
せることなく、限られたスペースに視認性とデザイン性を両立させて配置することができ
る。したがって、多くの機能の状態確認や設定の選択を行うための情報表示を備え、その
視認性とデザイン性を向上させた電子時計を提供することができる。
【００１４】
［適用例５］上記適用例に記載の電子時計において、前記受信モード表示、前記受信禁
止表示、前記充電量表示は、前記情報表示部の１２時位置と６時位置とを結ぶ直線の９時
側の範囲に設けられていることが好ましい。
【００１５】
本適用例によれば、情報表示部は、情報表示部の設けられている文字板または小時計の
外周を１２時間で表した場合に、１２時位置と６時位置とを結ぶ直線により、直線の３時
側の範囲と、直線の９時側の範囲と、に分けられる。電子時計は、情報表示部の９時側の
範囲に、受信モード表示、受信禁止表示、充電量表示が設けられている。一般的に、腕時
計型の電子時計は、左腕に装着されるため、視覚的には、１２時位置と６時位置とを結ぶ
直線の３時側の範囲の視認性が良い。通常の使用において、使用頻度の低い、受信モード
表示、受信禁止表示、充電量表示を情報表示部の９時側の範囲に配置することにより、使
用頻度の高い、時刻表示やカレンダー表示などの情報表示を情報表示部の３時側の範囲に
配置することができる。これにより、使用頻度の高い情報表示を視認性の良い３時側の範
囲に配置することができる。したがって、使用頻度の高い情報表示の視認性を犠牲にする
ことなく、多くの機能の状態確認や設定の選択を行うための情報表示を備えた電子時計を
提供することができる。
【００１６】
［適用例６］上記適用例に記載の電子時計は、前記情報表示部を指し示す指針を備えて
いることが好ましい。
【００１７】
本適用例によれば、電子時計は、受信モード表示、受信禁止表示、充電量表示を含む情
報表示部を指し示す指針を備えている。指針が、これらの情報表示を指し示すことで、電
子時計に備えられている各種機能の状態確認または選択を容易に行うことができる。した
がって、多くの機能の状態確認や設定の選択を行うための情報表示を備え、その視認性と
操作性とを向上させた電子時計を提供することができる。
【００１８】
［適用例７］本適用例に係る電子時計は、前記情報表示部の中心を左回りに、前記受信
モード表示、前記受信禁止表示、前記充電量表示が順に配置されていることが好ましい。
【００１９】
本適用例によれば、電子時計の情報表示部には、情報表示部の中心を左回りに、受信モ
ード表示、受信禁止表示、充電量表示が順に配置されている。一般的に、円または円弧に
沿って設けられた充電量などの残量の表示は、円または円弧の中心から見て右端に満状態
が、左端に空状態が、表される。二次電池が満充電の場合には、衛星信号の受信許可は充
電量表示の満状態で表されるので、受信モード表示、受信禁止表示、充電量表示を情報表
示部の中心を左回りに配置することで、受信禁止表示と二次電池の満充電の表示とを隣り
合わせにすることができる。これにより、充電量表示の満状態と空状態との認識性、受信
許可と受信禁止との選択の操作性、を向上させることができる。したがって、多くの機能
の状態確認や設定の選択を行うための情報表示を備え、その認識性および操作性を向上さ
せた電子時計を提供することができる。
【００２０】
［適用例８］本適用例に係る電子時計は、文字板と、電力を蓄積する二次電池と、衛星
信号を受信し現地時刻を表示するワールドタイム機能と、を備え、前記文字板には、前記
二次電池の充電量表示と、前記衛星信号の受信モード表示と、前記衛星信号の受信禁止表
示とを含む、情報表示部が設けられ、前記情報表示部には、前記充電量表示、前記受信モ
ード表示、前記受信禁止表示が順に配置されていることを特徴とする。
【００２１】
本適用例によれば、電子時計は、衛星信号を受信して現在地の位置情報と時刻情報とを
算出し現地時刻を表示するワールドタイム機能を含む多くの機能を備えた腕時計である。
電子時計の文字板には、各種機能の状態確認や設定を行うために使用する表示を、視認性
よく配置する情報表示部が、例えば、円または円弧状などの形状で設けられている。情報
表示部（円または円弧）には、電子時計に備えられている二次電池の充電量表示、衛星信
号の受信方法の選択または受信状態を表す受信モード表示、電子時計に衛星信号の受信を
停止させる受信禁止表示、が順に配置されている。充電量表示や衛星信号の受信に関する
機能の状態確認または選択を行うための情報表示を限られたスペースに分かり易く配置す
ることができる。したがって、多くの機能の状態確認や設定の選択を行うための情報表示
を備えた電子時計を提供することができる。
【００２２】
［適用例９］上記適用例に記載の電子時計において、前記充電量表示は、前記受信モー
ド表示に隣り合う一端側が空状態を表し、他端側が満状態を表すことが好ましい。
【００２３】
本適用例によれば、電子時計は、受信モード表示に隣り合う一端側が空状態を表し、他
端側が満状態を表す二次電池の充電量表示を備えている。二次電池が満充電の場合には、
衛星信号の受信許可は充電量表示の満状態で表される。これにより、受信の禁止と許可と
を表す情報表示の距離が離れることにより、受信許可状態と受信禁止状態との認識性を向
上させることができる。したがって、多くの機能の状態確認や設定の選択を行うための情
報表示を備え、その認識性を向上させた電子時計を提供することができる。
【００２４】
［適用例１０］上記適用例に記載の電子時計において、前記情報表示部には、サマータ
イム表示を含み、前記情報表示部には、前記充電量表示、前記受信モード表示、前記受信
禁止表示、前記サマータイム表示が順に配置されていることが好ましい。
【００２５】
本適用例によれば、電子時計の情報表示部（円または円弧）には、充電量表示、受信モ
ード表示、受信禁止表示、夏時間のＯＮ／ＯＦＦの選択または状態を表すサマータイム表
示、が順に配置されている。サマータイム表示には、受信禁止表示に隣り合う一方側にＯ
ＦＦ表記が、他方側にＯＮ表記が設けられている。また、受信モード表示は、１（時刻修
正）、４＋（タイムゾーン修正）の表記を備えており、これらの表記は電子時計に時刻を
修正させる方法を表し、手動で選択される。これにより、使用者が手動選択で使用する、
受信モード表示、受信禁止表示、サマータイム表示、を順に配置させることができるので
、各種表示の手動での選択性と視認性とを向上させることができる。したがって、多くの
機能の状態確認や設定の選択を行うための情報表示を備え、その選択性と視認性とを向上
させた電子時計を提供することができる。
【００２６】
［適用例１１］上記適用例に記載の電子時計において、前記情報表示部は、小時計で設
けられていることが好ましい。
【００２７】
本適用例によれば、電子時計は、文字板に小時計を備え、情報表示部は小時計に設けら
れている。これにより、情報表示部に備えられている情報表示と他の情報表示とを混在さ
せることなく、限られたスペースに視認性とデザイン性を両立させて配置することができ
る。したがって、多くの機能の状態確認や設定の選択を行うための情報表示を備え、その
視認性とデザイン性を向上させた電子時計を提供することができる。
【００２８】
［適用例１２］上記適用例に記載の電子時計において、前記充電量表示、前記受信モー
ド表示、前記受信禁止表示は、前記情報表示部の１２時位置と６時位置とを結ぶ直線の９
時側に設けられていることが好ましい。
【００２９】
本適用例によれば、情報表示部は、情報表示部の設けられている文字板または小時計の
外周を１２時間で表した場合に、１２時位置と６時位置とを結ぶ直線により、直線の３時
側の範囲と、直線の９時側に波にと、に分けられる。電子時計は、情報表示部の９時側の
範囲に、充電量表示、受信モード表示、受信禁止表示が設けられている。一般的に、腕時
計型の電子時計は、左腕に装着されるため、視覚的には、１２時位置と６時位置とを結ぶ
直線の３時側の範囲の視認性が良い。通常の使用において、使用頻度の低い、充電量表示
、受信モード表示、受信禁止表示を情報表示部の９時側の範囲に配置することにより、使
用頻度の高い、時刻表示やカレンダー表示などの情報表示を３時側の範囲に配置すること
ができる。これにより、使用頻度の高い情報表示を視認性の良い３時側の範囲に配置する
ことができる。したがって、使用頻度の高い情報表示の視認性を犠牲にすることなく、多
くの機能の状態確認や設定の選択を行うための情報表示を備えた電子時計を提供すること
ができる。
【００３０】
［適用例１３］上記適用例に記載の電子時計は、前記情報表示部を指し示す指針を備え
ていることが好ましい。
【００３１】
本適用例によれば、電子時計は、充電量表示、受信モード表示、受信禁止表示を含む情
報表示部を指し示す指針を備えている。指針が、これらの情報表示を指し示すことで、電
子時計に備えられている各種機能の状態確認または選択を容易に行うことができる。した
がって、多くの機能の状態確認や設定の選択を行うための情報表示を備え、その視認性と
操作性とを向上させた電子時計を提供することができる。
【００３２】
［適用例１４］上記適用例に記載の電子時計は、前記情報表示部の中心を左回りに、前
記充電量表示、前記受信モード表示、前記受信禁止表示が順に配置されていることが好ま
しい。
【００３３】
本適用例によれば、電子時計の情報表示部には、情報表示部の中心を左回りに、充電量
表示、受信モード表示、受信禁止表示が順に配置されている。一般的に、円または円弧に
沿って設けられた充電量などの残量の表示は、円または円弧の中心から見て右端に満状態
が、左端に空状態が、表される。二次電池が満充電の場合には、衛星信号の受信許可は充
電量表示の満状態で表されるので、充電量表示、受信モード表示、受信禁止表示を情報表
示部の中心を左回りに配置することで、二次電池の満充電の表示と受信禁止表示との距離
を離すことができる。これにより、充電量表示の満状態と空状態との認識性、受信許可状
態と受信禁止状態との認識性、を向上させることができる。したがって、多くの機能の状
態確認や設定の選択を行うための情報表示を備え、その認識性を向上させた電子時計を提
供することができる。
【図面の簡単な説明】
【００３４】
【図１】実施形態１に係る電子時計を含むＧＰＳシステムの全体図。
【図２】電子時計の外観を示す概略平面図。
【図３】電子時計の概略を示す部分断面図。
【図４】電子時計の電気制御ブロック図。
【図５】実施形態２に係る電子時計の全体を示す斜視図。
【図６】電子時計の全体を示す６面図。
【図７】電子時計の外観を示す概略平面図。
【図８】実施形態３に係る電子時計の外観を示す概略平面図。
【発明を実施するための形態】
【００３５】
以下、本発明の実施形態について、図面を参照して説明する。なお、以下の各図におい
ては、各層や各部材を認識可能な程度の大きさにするため、各層や各部材の尺度を実際と
は異ならせている。
【００３６】
（実施形態１）
本実施形態１の電子時計は、ワールドタイム機能を備えている。ワールドタイム機能と
は、例えば、ＧＰＳなどの航法衛星（ＧＰＳ衛星）から送信されている衛星信号を受信し
て現在地の位置情報と時刻情報とを算出して現地時刻を表示するものである。
図１は、実施形態に係る電子時計を含むＧＰＳの全体図である。まず、電子時計１０が
、ＧＰＳ衛星８から送信される衛星信号（外部信号）を用いて、現在地の位置情報と、時
刻情報とを求めるＧＰＳの概要を説明する。
【００３７】
電子時計１０は、ＧＰＳ衛星８からの電波（衛星信号）を受信して内部時刻を修正する
腕時計であり、腕と接触する側の面（以下、裏面という）の反対側の面（以下、表面とい
う）に時刻を表示する。ＧＰＳ衛星８は、地球の上空において、所定の軌道上を周回する
航法衛星であり、１．５７５４２ＧＨｚの電波（Ｌ１波）に航法メッセージを重畳させて
地上に送信している。以降の説明では、航法メッセージが重畳された１．５７５４２ＧＨ
ｚの電波を衛星信号という。衛星信号は、右旋偏波の円偏波である。
【００３８】
現在、地球の上空には約３１個のＧＰＳ衛星８（図１においては、４個のみを図示）が
周回しており、衛星信号がどのＧＰＳ衛星８から送信されたかを識別するために、各ＧＰ
Ｓ衛星８はＣ／Ａコード（Coarse／Acquisition Code）と呼ばれる１０２３チップ（１ｍ
ｓ周期）の固有のパターンを衛星信号に重畳する。Ｃ／Ａコードは、各チップが＋１、ま
たは−１のいずれかであり、ランダムパターンのように見える。したがって、衛星信号と
各Ｃ／Ａコードのパターンの相関をとることにより、衛星信号に重畳されているＣ／Ａコ
ードを検出することができる。
【００３９】
ＧＰＳ衛星８は原子時計を搭載しており、衛星信号には原子時計で計時された極めて正
確なＧＰＳ時刻情報が含まれている。また、地上のコントロールセグメントにより各ＧＰ
Ｓ衛星８に搭載されている原子時計のわずかな時刻誤差が測定されており、衛星信号には
その時刻誤差を補正するための時刻補正パラメーターも含まれている。電子時計１０は、
１つのＧＰＳ衛星８から送信された衛星信号を受信し、その中に含まれるＧＰＳ時刻情報
と時刻補正パラメーターとを使用して得られた正確な時刻（時刻情報）を内部時刻とする
。
【００４０】
衛星信号にはＧＰＳ衛星８の軌道上の位置を示す軌道情報も含まれている。電子時計１
０は、ＧＰＳ時刻情報と軌道情報とを使用して測位計算を行うことができる。測位計算は
、電子時計１０の内部時刻にある程度の誤差が含まれていることを前提として行われる。
すなわち、電子時計１０の三次元の位置を特定するためのｘ，ｙ，ｚパラメーターに加
えて時刻誤差も未知数になる。そのため、電子時計１０は、一般的には４つ以上のＧＰＳ
衛星８からそれぞれ送信された衛星信号を受信し、その中に含まれるＧＰＳ時刻情報と軌
道情報を使用して測位計算を行い、現在地の位置情報を求める。
【００４１】
次に、電子時計１０の概略構成について説明する。図２は、電子時計の外観を示す概略
平面図であり、図３は、電子時計の概略を示す部分断面図である。
以下の説明において、「ｎ時方向」（ｎは任意の自然数）とあるが、これはダイヤルリ
ングに表示されている「ＵＴＣ」を１２時として外周を１２時間で表した時に、文字板の
中央から外周をみた方向である。また、「ｎ時方向からｍ時方向までの範囲」（ｎ、ｍは
任意の自然数）とあるが、これは文字板の中心を右回りで表した範囲である。
【００４２】
図２に示すように、電子時計１０は、外装ケース３０を備えている。外装ケース３０は
、金属で形成された円筒状のケース３１に、セラミックで形成されたベゼル３２が嵌合さ
れて構成されている。このベゼル３２の内周側に、プラスチックで形成されたリング状の
ダイヤルリング４０を介して、円盤状の文字板１１が設けられている。文字板１１には、
時刻を指し示す指針２１，２２，２３と、後述する情報表示を備えた円状（文字板１１と
同心円状）の情報表示部７０と、情報表示部７０に備えられている情報表示を指し示す指
針７１と、カレンダー表示１５と、が設けられている。
【００４３】
外装ケース３０の側面には、文字板１１の中心より、８時方向の位置にＡボタン６１と
、１０時方向の位置にＢボタン６２と、２時方向の位置にＣボタン６３と、４時方向の位
置にＤボタン６４と、３時方向の位置にリュウズ５０とが、設けられている。これらのＡ
ボタン６１、Ｂボタン６２、Ｃボタン６３、Ｄボタン６４およびリュウズ５０が操作され
ることにより、操作に応じた入力信号が出力される。なお、ダイヤルリング４０に表記さ
れている英字「ＵＴＣ」が、電子時計１０の１２時を表す。
【００４４】
図３に示すように、電子時計１０は、金属製の外装ケース３０の表裏に設けられた二つ
の開口のうち、文字板１１が装着された表面側の開口は、ベゼル３２を介してカバーガラ
ス３３で塞がれており、裏面側の開口は金属で形成された裏蓋３４で塞がれている。
外装ケース３０の内側には、ベゼル３２の内周に取り付けられているダイヤルリング４
０と、光透過性の文字板１１と、文字板１１を貫通した指針軸２５と、指針軸２５を中心
に周回する指針２１，２２，２３，７１と、指針２１，２２，２３，７１を駆動する駆動
機構１４０などと、が備えられている。
指針軸２５は、外装ケース３０の平面視中心を通り、表裏方向に延在する中心軸に沿っ
て設けられている。
【００４５】
ダイヤルリング４０は、外周端が、ベゼル３２の内周面に接触しているとともに、一面
がカバーガラス３３と並行している平板部分と、内周端が文字板１１に接触するように、
文字板１１側へ傾斜した傾斜部分を備えている。ダイヤルリング４０は、平面視において
はリング形状となっており、断面視においてはすり鉢形状となっている。ダイヤルリング
４０の平板部分と、傾斜部分と、ベゼル３２の内周面と、によりドーナツ形状の収納空間
が形成されており、この収納空間内には、リング状のアンテナ体１１０が収納されている
。
【００４６】
このアンテナ体１１０は、リング形状の誘電体を基材として、これに金属のアンテナパ
ターンをメッキや銀ペースト印刷などにより形成したものである。このアンテナ体１１０
は、文字板１１の外周に配置されており、ベゼル３２の内周面側に配置され、さらにプラ
スチックで形成されたダイヤルリング４０、およびカバーガラス３３で覆われているため
、良好な受信を確保することが可能となっている。誘電体としては、酸化チタンなどの高
周波で使える誘電材料を樹脂に混ぜて成形することができ、これにより誘電体の波長短縮
と相俟ってアンテナをより小型化できる。
【００４７】
文字板１１は、外装ケース３０の内側で時刻を表示する円形の板材であり、プラスチッ
クなどの光透過性の材料で形成され、カバーガラス３３との間に指針２１，２２，２３，
７１などを備え、ダイヤルリング４０の内側に配置されている。
【００４８】
文字板１１と、駆動機構１４０などが取り付けられている地板１２５との間には、光発
電を行うソーラーパネル１３５が備えられている。ソーラーパネル１３５は、光エネルギ
ーを電気エネルギー（電力）に変換する複数のソーラーセル（光発電素子）を直列接続し
た円形の平板である。また、ソーラーパネル１３５は、太陽光の検出機能も備えている。
文字板１１、ソーラーパネル１３５および地板１２５には、指針軸２５が貫通する穴が形
成されているとともに、カレンダー表示１５の開口部が形成されている。
【００４９】
駆動機構１４０は、地板１２５に取り付けられ、回路基板１２０で裏面側から覆われて
いる。駆動機構１４０は、ステップモーターと歯車などの輪列とを有し、当該ステップモ
ーターが当該輪列を介して指針軸２５を回転させることにより、指針２１，２２，２３，
７１が駆動する。
【００５０】
回路基板１２０は、バラン１２１、受信部（ＧＰＳモジュール）１２２、制御部１５０
およびリチウムイオン電池などの二次電池１３０を備えている。二次電池１３０は、ソー
ラーパネル１３５が発電した電力で充電され、その電力を蓄積する。これにより、電子時
計１０を連続して駆動させることができる。また、この回路基板１２０とアンテナ体１１
０とは、アンテナ接続ピン１１５を用い接続されている。バラン１２１は、平衡−不平衡
の変換素子であり、平衡給電で作動するアンテナ体１１０からの平衡信号を、受信部１２
２で扱うことができる不平衡信号に変換する。
【００５１】
アンテナ体１１０は、給電点を通じて給電され、この給電点には、アンテナ体１１０の
裏面側に配置されたアンテナ接続ピン１１５が接続されている。アンテナ接続ピン１１５
は金属で形成されたピン状のコネクターであり、回路基板１２０に突設されている。そし
て、アンテナ接続ピン１１５は地板１２５に開口された挿通孔を貫通されて収納空間内へ
挿通されている。これにより、回路基板１２０と、収納空間内部のアンテナ体１１０とが
、アンテナ接続ピン１１５で接続されている。
【００５２】
なお、本実施形態では、電子時計１０はソーラーパネル１３５による発電と二次電池１
３０とを駆動源とするものと説明したが、一次電池方式、他の充電方式、を用いてもよい
。一次電池方式を駆動源とすることで外装ケース３０内の機構を簡単にすることが可能と
なる。また、電磁誘導などの充電方式で蓄電する二次電池を駆動源とすることで光発電を
行うには十分な光照射がない場所や電池交換が難しい場所においても、本発明の電子時計
を利用することができる。
【００５３】
次に、図２に戻って、電子時計１０の表示機能について説明する。
本実施形態の電子時計１０は、文字板１１に、ワールドタイム機能で求められた現地時
刻（内部時刻）を表示する時刻表示を備えている。
時刻表示とは、「時」を表す時刻時表示と、「分」を表す時刻分表示と、「秒」を表す
時刻秒表示との総称である。
【００５４】
まず、文字板１１の表示機能について説明する。文字板１１は、外周を６０分割にする
目盛が表記された時刻分表示２４、および外周を１２分割にする目盛（バーインデックス
）が表記された時刻時表示を備えている。本実施形態では、時刻分表示２４は時刻秒表示
を兼ねており、指針２１は時刻分表示２４を用いて現地時刻（内部時計）の「秒」を指し
示す。指針２２は、時刻分表示２４を用いて現地時刻（内部時刻）の「分」を指し示す。
また、指針２３は、時刻時表示を用いて現地時刻（内部時刻）の「時」を指し示す。
【００５５】
次に、情報表示部７０に備えられている表示機能について説明する。
情報表示部７０には、「ＵＴＣ」の英字を基点とし、情報表示部の中心を左回りに、衛
星信号の受信モード表示８１、衛星信号の受信禁止表示８２、二次電池の充電量表示８３
、サマータイム表示８４、および衛星信号の受信結果表示８５の表示機能が、順に配置さ
れている。指針７１が、受信モード表示８１、受信禁止表示８２、充電量表示８３を含む
情報表示部７０を指し示す構成にすることで、電子時計１０は、限られたスペースに多く
の機能の状態確認または選択を容易に行うための情報表示を設けることができる。
【００５６】
受信モード表示８１は、情報表示部７０において、１１時方向から１２時方向までの範
囲に設けられている。受信モード表示８１には、「１」の数字および「４＋」の数字と記
号が表記されており、これらの数字と記号は、衛星信号の受信モードを表す。「１」はＧ
ＰＳ時刻情報を受信し内部時刻が修正されたことを、「４＋」はＧＰＳ時刻情報と軌道情
報とを受信し、内部時刻と後述するタイムゾーンとが修正されたことを意味する。使用者
がＢボタン６２を操作することで、指針７１は、「１」または「４＋」のいずれかを指し
示し、電子時計１０が直前に受信した衛星信号の受信モードを表示する。
【００５７】
受信禁止表示８２は、情報表示部７０において、９時方向から１１時方向までの範囲に
設けられている。受信禁止表示８２には、飛行機形状の記号が表記されており、衛星信号
の受信が停止されていることを表す。航空機の離着陸時は、航空法によって衛星信号の受
信が禁止されていることより、この設定を機内モードとも呼ぶ。使用者はＡボタン６１を
操作し、指針７１が示す先を移動させて受信禁止表示８２（機内モード）を選択すること
で、電子時計１０に衛星信号の受信を停止させることができる。
【００５８】
充電量表示８３は、情報表示部７０において、７時方向から９時方向までの範囲を中心
に設けられている。充電量表示８３には、情報表示部７０の円周に沿って、９時方向の基
端が太く、７時方向の先端が細い三日月鎌状の記号で、二次電池１３０（図３参照）のパ
ワーインジケーターが表記されている。充電量表示８３は、受信禁止表示８２に隣り合う
基端側が満状態を表し、先端側が空状態を表す。指針７１は、電池の残量に応じて、基端
、中間、先端のいずれかを指し示す。なお、充電量表示８３は、二次電池の残量が表され
るものと説明したが、一次電池を用いて一次電池の残量が表されるようにしてもよい。
また、充電量表示８３は、受信許可表示を兼用している。使用者はＡボタン６１を操作
し、指針７１が示す先を、受信禁止表示８２から充電量表示８３に移動させることで、電
子時計１０に衛星信号を受信させることができる。二次電池１３０は、電子時計１０が常
時使用されると、ソーラーパネル１３５で発電された電力により満充電の状態になる。二
次電池１３０が満充電されている場合、受信許可表示は、受信禁止表示８２に隣り合う充
電量表示８３の満充電（基端）で示される。これにより、受信の禁止と許可とを表す情報
表示が隣り合うことになり、衛星信号の受信許可と受信禁止との選択の操作性を向上させ
ることができる。なお、本実施形態では、受信許可表示は充電量表示８３と兼用されるも
のとして説明したが、受信許可表示と充電量表示８３とが各々に設けられていてもよい。
【００５９】
サマータイム表示８４は、情報表示部７０の中心を左回りに、充電量表示８３の次に位
置する、６時方向から７時方向までの範囲に設けられている。サマータイム表示８４には
、「ＤＳＴ」の英字と「○」の記号とが表記されている。ＤＳＴ（daylight saving time
）は夏時間（サマータイム）を意味しており、これらの英字と記号とは、夏時間（ＤＳＴ
：夏時間ＯＮ、○：夏時間ＯＦＦ）の設定を表す。使用者がリュウズ５０とＢボタン６２
を操作して、指針７１を「ＤＳＴ」または「○」に合わせることで、電子時計１０に夏時
間のＯＮ／ＯＦＦを設定することができる。充電量表示８３に隣り合う一方側に「○」の
記号を、他方側に「ＤＳＴ」の英字を配置することにより、衛星信号受信禁止（ＯＦＦ）
表示、衛星信号受信許可（ＯＮ）表示（充電量表示）、サマータイム表示の「○」（ＯＦ
Ｆ）表記、サマータイム表示の「ＤＳＴ」（ＯＮ）表記、の順にＯＮとＯＦＦとの選択ま
たは状態を表す情報表示を並べることができる。これにより、衛星信号受信およびサータ
イムのＯＮ／ＯＦＦの選択と視認性とを向上させることができる。
【００６０】
受信結果表示８５は、情報表示部７０において、２時方向に英字の「Ｙ」表記８５ａと
、４時方向に英字の「Ｎ」表記８５ｂとが表記されている。「Ｙ」表記８５ａと、「Ｎ」
表記８５ｂとの英字は、衛星信号の受信結果（Ｙ：受信成功、Ｎ：受信失敗）と、衛星信
号の自動受信（Ｙ：自動受信ＯＮ、Ｎ：自動受信ＯＦＦ）の設定とを表す。
使用者がＢボタン６２を操作することにより、指針７１が「Ｙ」表記８５ａまたは「Ｎ
」表記８５ｂのいずれか一方を指し示し、衛星信号の受信結果を表示する。また、使用者
がＡボタン６１とＢボタン６２とを操作して、指針７１を「Ｙ」表記８５ａまたは「Ｎ」
表記８５ｂに合わせることで、衛星信号の自動受信のＯＮ／ＯＦＦを設定することができ
る。
【００６１】
なお、本実施形態では、受信モード表示８１、受信禁止表示８２、充電量表示８３は、
「ＵＴＣ」の英字を基点に配置されるものと説明したが、これに限定するものではない。
ただし、受信モード表示８１、受信禁止表示８２、充電量表示８３は、文字板１１の外周
を１２時間で表した場合、１２時位置と６時位置とを結ぶ直線で分けられた情報表示部７
０の９時側の範囲に、設けられていることが好ましい。一般的に、腕時計型の電子時計１
０は、左腕に装着されるため、視覚的に１２時位置と６時位置とを結ぶ直線の３時側の範
囲の視認性が良い。通常の使用において、使用頻度の低い、受信モード表示８１、受信禁
止表示８２、充電量表示８３を１２時位置と６時位置とを結ぶ直線の９時側の範囲に配置
することにより、使用頻度の高い情報表示を視認性の良い１２時位置と６時位置とを結ぶ
直線の３時側の範囲に配置することができる。
【００６２】
次にカレンダー表示１５の表示機能について説明する。
カレンダー表示１５は、文字板１１を矩形状に開口した開口部に設けられており、開口
部から数字が視認可能となっている。この数字は、年月日の「日」を表す。
【００６３】
ここで、協定世界時（ＵＴＣ）と、時差と、標準時と、タイムゾーン（Time zone）と
の関係を説明する。
タイムゾーンとは、共通の標準時を使用する地域のことであり、現在、４０種類のタイ
ムゾーンが存在している。各タイムゾーンは、標準時とＵＴＣとの時差で区別され、例え
ば、日本は、ＵＴＣより９時間進んだ標準時を使用する、＋９時間（時差）のタイムゾー
ンに属している。各タイムゾーンで使用されている標準時は、ＵＴＣと、ＵＴＣとの時差
とで求めることができる。
【００６４】
次に、ダイヤルリング４０とベゼル３２とに設けられているタイムゾーン表示４６につ
いて説明する。タイムゾーン表示４６とは、ダイヤルリング４０に表記されている時差表
示４５と、ベゼル３２に表記されている都市表示３５と、の総称である。
表面側からの平面視において、ダイヤルリング４０には、時差の基準となる協定世界時
を示す「ＵＴＣ」の英字と、タイムゾーンで使用されている標準時とＵＴＣとの時差を表
す数値または記号とを表記した時差表示４５が設けられている。
指針２１，２２，２３で指し示された現地時刻と、ＵＴＣとの時差は、リュウズ５０の
操作により指針２１の指し示す時差表示４５で確認することができる。なお、本実施形態
では、世界協定時は「ＵＴＣ」の英字で表し、整数以外の時差を表す表示は「・」記号で
表記しているが、他の英字、または記号を用いて表現してもよい。
【００６５】
ベゼル３２には、ダイヤルリング４０に表記されている時差に対応したタイムゾーンの
代表都市名を表すコードを表記した都市表示３５が設けられている。本実施形態では、代
表都市名に三文字の英字で略したスリーレターコードが使用されている。「ＬＯＮ」はロ
ンドン、「ＰＡＲ」はパリ、「ＣＡＩ」はカイロ、「ＪＥＤ」はジッダ、「ＤＸＢ」はド
バイ、「ＫＨＩ」はカラチ、「ＤＥＬ」はデリー、「ＤＡＣ」はダッカ、「ＢＫＫ」はバ
ンコク、「ＢＪＳ」は北京、「ＴＹＯ」は東京、「ＡＤＬ」はアデレード、「ＳＹＤ」は
シドニー、「ＮＯＵ」ネーメア、「ＷＬＧ」はウェリントン、「ＴＢＵ」はヌクアロファ
、「ＣＸＩ」はキリスィマスィ島、「ＭＤＹ」はミッドウェー島、「ＨＮＬ」はホノルル
、「ＡＮＣ」はアンカレッジ、「ＬＡＸ」はロサンゼルス、「ＤＥＮ」はデンバー、「Ｃ
ＨＩ」はシカゴ、「ＮＹＣ」はニューヨーク、「ＣＣＳ」はカラカス、「ＳＣＬ」はサン
ティアゴ、「ＲＩＯ」はリオデジャネイロ、「ＦＥＮ」はフェルナンド・デ・ノローニャ
諸島、「ＰＤＬ」はアゾレス諸島をそれぞれ表している。例えば、「ＴＹＯ」のコードは
東京を表し、このコードに対応してダイヤルリング４０に併記されている時差表示４５の
数字「９」より、東京はＵＴＣ＋９時間の標準時を使用していることを容易に判断するこ
とができる。
なお、本実施形態では、表示スペースの制約と視認性の向上との為、一部の時差表示４
５の時差に対応する代表都市名の表記は省略されている。また、代表都市名の表記方法は
一例であり、他の方法で表記してもよい。
【００６６】
指針２１，２２，２３で表示された現地時刻（内部時刻）のタイムゾーンは、リュウズ
５０の操作により指針２１の指し示すタイムゾーン表示４６で確認することができる。例
えば、指針２１が、「ＴＹＯ」と「９」とのタイムゾーン表示４６を指し示すことより、
現在、使用者は東京を代表都市とする＋９時間のタイムゾーンに居ることがわかる。
【００６７】
次に、電子時計１０の電気的構成について説明する。
図４は、電子時計の電気制御ブロック図である。図４に示すように、電子時計１０は、
ＣＰＵ（中央処理装置）１５３、ＲＡＭ（Random Access Memory）１５４、ＲＯＭ（Read
Only Memory）１５５を基本構成とする制御部１５０と、受信部（ＧＰＳモジュール）１
２２、入力装置１５７、駆動機構１４０の周辺装置とを備えている。これらの各装置は、
データバス１５９を介してデータを送受信する。入力装置１５７は、図２に示すリュウズ
５０、Ａボタン６１、Ｂボタン６２、Ｃボタン６３、Ｄボタン６４である。なお、電子時
計１０は、電源となる充電可能な二次電池１３０（図３参照）を内蔵している。
【００６８】
受信部１２２は、アンテナ体１１０を備え、アンテナ体１１０を介して受信した衛星信
号を処理してＧＰＳ時刻情報や位置情報を取得する。アンテナ体１１０は、地球の上空を
所定の軌道で周回している複数のＧＰＳ衛星８（図１参照）から送信され、図３に示すカ
バーガラス３３とダイヤルリング４０とを通過した衛星信号の電波を受信する。
【００６９】
そして、受信部１２２は、図示を略すが、通常のＧＰＳ装置と同様に、ＧＰＳ衛星８（
図１参照）から送信される衛星信号を受信してデジタル信号に変換するＲＦ（Radio Freq
uency）部と、受信した衛星信号の相関判定を実行して航法メッセージを復調するＢＢ部
（ベースバンド部）と、ＢＢ部で復調された航法メッセージからＧＰＳ時刻情報や軌道情
報を取得して出力する情報取得部とを備えている。つまり、受信部１２２は、ＧＰＳ衛星
８から送信される衛星信号を受信し、受信結果に基づいてＧＰＳ時刻情報と軌道情報とを
出力する受信部として機能する。
【００７０】
ＲＦ部は、バンドパスフィルター、ＰＬＬ回路、ＩＦフィルター、ＶＣＯ（Voltage Co
ntrolled Oscillator）、ＡＤＣ（Ａ／Ｄ変換器）、ミキサー、ＬＮＡ（Low Noise Ampli
fier）、ＩＦアンプ等を備えている。バンドパスフィルターで抜き出された衛星信号は、
ＬＮＡで増幅された後、ミキサーでＶＣＯの信号とミキシングされ、ＩＦ（Intermediate
Frequency：中間周波数）にダウンコンバートされる。ミキサーでミキシングされたＩＦ
は、ＩＦアンプ、ＩＦフィルターを通り、ＡＤＣでデジタル信号に変換される。
【００７１】
ＢＢ部は、ＧＰＳ衛星８で送信時に使用されたものと同一のＣ／Ａコードからなるロー
カルコードを生成するローカルコード生成部と、ローカルコードとＲＦ部から出力される
受信信号との相関値を算出する相関部とを備える。そして、相関部で算出された相関値が
所定の閾値以上であれば、受信した衛星信号に用いられたＣ／Ａコードと、生成したロー
カルコードとが一致していることになり、衛星信号を捕捉（同期）することができる。こ
のため、受信した衛星信号を、ローカルコードを用いて相関処理することで、航法メッセ
ージを復調することができる。
【００７２】
情報取得部は、ＢＢ部で復調した航法メッセージからＧＰＳ時刻情報や軌道情報を取得
する。航法メッセージには、プリアンブルデータ及びＨＯＷワードのＴＯＷ（Time of We
ek、「Ｚカウント」ともいう）、サブフレームデータが含まれている。サブフレームデー
タは、サブフレーム１からサブフレーム５まであり、各サブフレームには、例えば、週番
号データや衛星健康状態データを含む衛星補正データ等や、エフェメリス（ＧＰＳ衛星８
毎の詳細な軌道情報）や、アルマナック（全ＧＰＳ衛星８の概略軌道情報）などのデータ
が含まれている。したがって、情報取得部は、受信した航法メッセージから所定のデータ
部分を抽出することにより、ＧＰＳ時刻情報や軌道情報を取得することができる。
【００７３】
ＲＡＭ１５４とＲＯＭ１５５とは、電子時計１０の記憶部である。
ＲＯＭ１５５には、ＣＰＵ１５３に実行されるプログラムやタイムゾーン情報などが記
憶される。タイムゾーン情報とは、共通の標準時を使用する地域（タイムゾーン）の位置
情報（緯度・経度）と、ＵＴＣに対する時差と、を管理するデータである。
ＣＰＵ１５３は、ＲＡＭ１５４を作業領域として使用し、ＲＯＭ１５５に記憶されたプ
ログラムを実行することにより、各種の演算、制御および計時を行う。この計時は、例え
ば、図示しない発振回路からの基準信号のパルス数を計数することによって行われる。
【００７４】
ＣＰＵ１５３は、ＧＰＳ時刻情報と時刻補正パラメーターとから算出した時刻情報と、
ＧＰＳ時刻情報と軌道情報とから算出した現在地の位置情報（緯度、経度）と、ＲＯＭ１
５５（記憶部）に記憶されたタイムゾーン情報と、に基づいて内部時刻を修正する。ＣＰ
Ｕ１５３は、内部時刻が示されるように、駆動機構１４０の駆動制御を行う。これにより
、電子時計１０には、指針２１，２２，２３（図２参照）で指し示される時刻表示により
内部時刻が示される。
【００７５】
なお、本実施形態で説明した入力装置１５７（Ａボタン６１、Ｂボタン６２、Ｃボタン
６３、Ｄボタン６４、リュウズ５０）の操作は一例であり、上述の説明と異なる入力装置
を用いて操作させてもよい。
【００７６】
また、本実施形態では、外部信号としてＧＰＳ衛星８から送信される電波を用いるもの
として説明したが、これに限定するのもではない。例えば、外部信号としては、ガリレオ
（Galileo）、ＧＬＯＮＡＳＳ（Global Navigation Satellite System）などの全地球航
法衛星システム（ＧＮＳＳ：Global Navigation Satellite System）を使用することがで
きる。
【００７７】
以上述べたように、本実施形態に係る電子時計１０によれば、以下の効果を得ることが
できる。
電子時計１０は、ＧＰＳ衛星から送信されている衛星信号を受信して現在地の位置情報
と時刻情報とを算出し現地時刻を表示するワールドタイム機能を含む多くの機能を備えた
腕時計である。電子時計１０の文字板１１の内周には、円（同心円）状の情報表示部７０
と指針７１とが設けられている。指針７１が情報表示部７０を指し示す構成にすることで
、電子時計１０は、限られたスペースに多くの情報表示を設けることができる。
また、情報表示部７０には、情報表示部７０の中心を左回りに１２時方向から６時方向
までの範囲に、受信モード表示８１、受信禁止表示８２、充電量表示８３が順に配置され
ている。これにより、受信方法の選択と受信の禁止／許可の選択とを分かり易く配置する
ことができる。
また、情報表示部７０には、情報表示部７０の中心を左回りに１２時方向から６時方向
までの範囲に、受信禁止表示８２、受信許可表示（充電量表示８３）、サマータイム表示
８４が順に配置されている。これにより、衛星信号の受信およびサマータイムに関するＯ
Ｎ／ＯＦＦを選択する表示を分かり易く配置することができる。
したがって、多くの機能の状態確認や設定の選択を行うための情報表示を分かり易く設
けた電子時計を提供することができる。
【００７８】
（実施形態２）
図５は、実施形態２に係る電子時計の全体を示す斜視図である。図６は、電子時計の全
体を示す６面図である。図７は、電子時計の外観を示す概略平面図である。なお、図６（
ａ）は電子時計を表面側から見た平面図である。図６（ｂ）は３時方向から９時方向を見
た側面図である。図６（ｃ）は１２時方向から６時方向を見た側面図である。図６（ｄ）
は９時方向から３時方向を見た側面図である。図６（ｅ）は６時方向から１２時方向を見
た側面図である。図６（ｆ）は裏面側からみた平面図である。
【００７９】
実施形態２は、電子時計にクロノグラフ機能が備えられ、情報表示部が小時計で設けら
れているところが、実施形態１と異なる。クロノグラフ機能とは、時間を積算表示する所
謂ストップウォッチ（ストップウオッチ）機能を備えているものである。
本実施形態に係る電子時計について、これらの図を参照して説明する。なお、実施形態
１と同一の構成部位については、同一の番号を使用し、重複する説明は省略する。
【００８０】
図５および図６に示すように、電子時計２００は、円盤状の文字板２１１が設けられ、
文字板２１１には指針２２１，２２，２３が備えられている。文字板２１１には、指針２
７１を備えた第１小時計２７０と、指針２８１を備えた第２小時計２８０と、指針２９１
を備えた第３小時計２９０およびカレンダー表示２１５が設けられている。指針２７１，
２８１，２９１は駆動機構（図示せず）を有し、各指針２７１，２８１，２９１が駆動す
る。
電子時計２００は、文字板２１１の外周に設けられている目盛の一周を１２時間で表し
た場合に、ダイヤルリング４０に表記された「ＵＴＣ」の英字が１２時位置を表す。第１
小時計２７０は文字板２１１の中心より２時方向に、第２小時計２８０は文字板２１１の
中心より１０時方向に、第３小時計２９０は文字板１１の中心より６時方向に、カレンダ
ー表示２１５は文字板１１の中心より４時方向に設けられている。
【００８１】
次に、電子時計２００の表示機能について説明する。
本実施形態の電子時計２００は、文字板２１１に、クロノグラフ機能で積算された時間
が表示される積算表示を備えている。
積算表示とは、「時」を表す積算時表示と、「分」を表す積算分表示と、「秒」を表す
積算秒表示との総称である。
【００８２】
まず、文字板２１１の表示機能について説明する。図７に示すように、文字板２１１は
、積算秒表示を備えている。
積算秒表示は、文字板２１１の外周に設けられている。積算秒表示には、外周を６０分
割にする目盛（時刻分表示２４）をさらに５分割にする１／５目盛が表記されている。指
針２２１は、積算秒表示を用いてクロノグラフ機能で積算された時間の「秒」を指し示す
。
【００８３】
次に、第１小時計２７０の表示機能について説明する。第１小時計２７０は、積算分表
示２７２を備えている。
積算分表示２７２は、第１小時計２７０の外周に設けられている。積算分表示２７２に
は、外周を６０分割にする目盛と、１０から６０までの１０刻みの数字と、が表記されて
いる。指針２７１は、積算分表示２７２を用いてクロノグラフ機能で積算された時間の「
分」を指し示す。
【００８４】
次に、第２小時計２８０の表示機能について説明する。第２小時計２８０の外周には、
ワールドタイム機能に関する時刻秒表示２８４と、衛星信号の受信結果表示２８３と衛星
信号を受信可能な衛星の数を表す衛星捕捉数表示２８２と、が組み合わされて表示される
ように設けられている。
【００８５】
時刻秒表示２８４は、第２小時計２８０の外周に設けられている。時刻秒表示２８４に
は、外周を６０分割にする目盛が表記されている。指針２８１は、時刻秒表示２８４を用
いて現地時刻（内部時刻）の「秒」を指し示す。
【００８６】
衛星捕捉数表示２８２は、第２小時計２８０の外周に設けられている。衛星捕捉数表示
２８２には、外周を１２分割にする目盛と、「０」から「１１」までの数字とが表記され
ている。使用者がＢボタン６２を操作して、電子時計２００に衛星信号を手動受信させた
時、指針２８１は、衛星信号を受信可能なＧＰＳ衛星８の数を表す衛星捕捉数を、「０」
から「１１」までのいずれかの数字で指し示す。これにより、衛星捕捉数が表示される。
【００８７】
受信結果表示２８３は、第２小時計２８０の時刻秒表示２８４において、４５秒から６
０秒までの範囲に英字の「Ｙ」表記２８３ａと、３０秒から４５秒までの範囲に英字の「
Ｎ」表記２８３ｂとで設けられている。「Ｙ」表記２８３ａと、「Ｎ」表記２８３ｂとは
、１５秒と４５秒とを結ぶ直線に対して線対称、かつ第２小時計２８０の外周を１２分割
にする目盛（長い目盛）と重ならない位置に設けられている。これにより、第２小時計２
８０の外周を１２分割にする目盛と、６０分割する目盛と、受信結果表示２８３とを面積
の狭い第２小時計２８０の中に、判読性を確保しながらバランスよくレイアウトすること
ができる。
なお、本実施形態では、５２秒の位置に「Ｙ」表記２８３ａが、３８秒の位置に「Ｎ」
表記２８３ｂが、設けられているが、これに限定されるものではない。「Ｙ」表記２８３
ａと「Ｎ」表記２８３ｂとの表記は、受信結果表示２８３を含む小時計が設けられる位置
に応じて、視認しやすい位置に設けることが好ましい。
【００８８】
次に、第３小時計２９０の表示機能について説明する。第３小時計２９０の外周には、
クロノグラフ機能に関する積算表示（積算時表示２９２）と、情報表示部とが設けられて
いる。
以下の第３小時計の説明において、「ｎ時方向」（ｎは任意の自然数）とあるが、これ
は第３小時計２９０に表示されている「０」を１２時として外周を１２時間で表した時に
、円形の中央から外周をみた方向である。また、「ｎ時方向からｍ時方向までの範囲」（
ｎ、ｍは任意の自然数）とあるが、これは第３小時計２９０の中心を右回りで表した範囲
である。
【００８９】
積算時表示２９２は、第３小時計２９０の外周において、１２時方向から６時方向まで
の範囲に設けられている。積算時表示２９２には、この範囲を６分割にする目盛と、「０
」から「５」までの数字とが表記されている。指針２９１は、積算時表示２９２を用いて
、クロノグラフ機能で積算された時間の「時」を指し示す。
【００９０】
情報表示部は、第３小時計２９０の外周において、６時方向から１２時方向までの範囲
に円弧状に設けられている。情報表示部には、第３小時計２９０の中心（情報表示部の中
心）を左回りに、受信モード表示２９６、受信禁止表示２９５、充電量表示２９４、サマ
ータイム表示２９３が順に配置されている。この情報表示部を用いて、指針２９１が、受
信モード表示２９６、受信禁止表示２９５、充電量表示２９４、サマータイム表示２９３
の各情報表示を指し示すことで、電子時計２００に備えられている各種機能の状態確認ま
たは選択を容易に行うことができる。
【００９１】
以上述べたように、本実施形態に係る電子時計２００によれば、実施形態１での効果に
加えて、以下の効果を得ることができる。
電子時計２００は、受信モード表示２９６、受信禁止表示２９５、充電量表示２９４を
含む情報表示部が小時計（第３小時計２９０）で設けられているため、情報表示部に備え
られている情報表示と他の情報表示とを混在させることなく、限られたスペースに視認性
とデザイン性を両立させて配置することができる。
【００９２】
（実施形態３）
図８は、実施形態３に係る電子時計の外観を示す概略平面図である。
上記実施形態１では、図２に示すように、情報表示部７０には、情報表示部７０の中心
を左回りに、受信モード表示８１、受信禁止表示８２、充電量表示８３が、順に配置され
ているものと説明したが、これに限定するものではない。
以下、実施形態３に係る電子時計３００について説明する。なお、実施形態１と同一の
構成部位については、同一の符号を附し、重複する説明は省略する。
【００９３】
電子時計３００は、ダイヤルリング４０の内周に文字板３１１が設けられ、文字板３１
１には情報表示部７０が備えられている。情報表示部７０の６時方向から１２時方向まで
の範囲には、情報表示部７０の中心を左回りに、充電量表示３８３、受信モード表示３８
１、受信禁止表示３８２が、順に配置されている。使用頻度の低い、充電量表示３８３、
受信モード表示３８１、受信禁止表示３８２を６時方向から１２時方向までの範囲に配置
することにより、使用頻度の高い情報表示を視認性の良い１２時方向から６時方向までの
範囲に配置することができる。また、指針７１が、充電量表示３８３、受信モード表示３
８１、受信禁止表示３８２を含む情報表示部７０を指し示すことで、電子時計３００に備
えられている各種機能の状態確認または選択を容易に行うことができる。
【００９４】
情報表示部７０において、充電量表示３８３は１０時方向から１２時方向までの範囲に
設けられ、受信モード表示３８１は９時方向から１０時方向までの範囲に設けられ、受信
禁止表示３８２は７時方向から９時方向までの範囲に設けられている。
【００９５】
充電量表示３８３は、受信モード表示３８１に隣り合う一端側（先端側）が空状態を表
し、他方側（基端側）が満状態を表す。充電量表示３８３は、衛星信号の受信許可の表示
機能も兼ね備えている。二次電池１３０は、電子時計１０が常時使用されると、ソーラー
パネル１３５で発電された電力により満充電の状態になる。二次電池１３０が満充電され
ている場合、受信許可表示は、充電量表示３８３の満充電（基端）で示される。これによ
り、受信禁止表示３８２と受信許可表示（充電量表示３８３の満状態）との距離が離れる
ので、衛星信号の受信許可状態と受信禁止状態とを容易に認識することができる。また、
電子時計３００が時刻表示中は、指針７１が常に１２時方向（充電量表示３８３の満状態
）を指し示しているので、電子時計３００はバランスのよい表示形態で時刻を示すことが
できる。
【００９６】
サマータイム表示８４は、情報表示部７０の中心を左回りに受信禁止表示３８２の次の
位置に配置されている。これにより、使用者が自分の意思での手動選択で使用する、受信
モード表示３８１、受信禁止表示３８２、サマータイム表示８４、を順に配置させること
ができるので、これらの情報表示を用いた手動での選択性と視認性とを向上させることが
できる。
【００９７】
なお、本実施形態３では、情報表示部７０は、文字板３１１に設けられている構成とし
て説明したが、この構成に限定するものではない。情報表示部７０は、文字板３１１に備
えられた小時計で設けた構成としてもよい。
【００９８】
以上述べたように、本実施形態３に係る電子時計３００によれば、以下の効果を得るこ
とができる。
電子時計３００は、衛星信号８を受信して現在地の位置情報と時刻情報とを算出し現地
時刻を表示するワールドタイム機能を含む多くの機能を備えた腕時計である。電子時計３
００の文字板３１１の内周には、円（同心円）状の情報表示部７０と指針７１とが設けら
れている。情報表示部７０には、情報表示部７０の中心を左回りに１２時方向から６時方
向までの範囲に、衛星信号の受信に関する、充電量表示３８３（受信許可表示）、受信モ
ード表示３８１、受信禁止表示３８２が順に配置されている。これにより、受信の許可と
禁止との情報表示が両端に配置されることになり、受信禁止と受信許可とを容易に認識す
ることができる。
また、情報表示部７０には、情報表示部７０の中心を左回りに１２時方向から６時方向
までの範囲に、使用者の意思で選択を行うための表示である、受信モード表示３８１、受
信禁止表示３８２、サマータイム表示８４が順に配置されている。これにより、使用者の
意思で選択を行う情報表示を分かり易く配置することができる。
したがって、多くの機能の状態確認や設定の選択を行うための情報表示を分かり易く設
けた電子時計を提供することができる。
【符号の説明】
【００９９】
８…ＧＰＳ衛星、１０，２００，３００…電子時計、１１，２１１，３１１…文字板、
１５，２１５…カレンダー表示、２１，２２，２３，７１，２７１，２８１，２９１…指
針、２４…時刻分表示、２５…指針軸、３０…外装ケース、３１…ケース、３２…ベゼル
、３３…カバーガラス、３４…裏蓋、３５…都市表示、４０…ダイヤルリング、４５…時
差表示、４６…タイムゾーン表示、５０…リュウズ、６１…Ａボタン、６２…Ｂボタン、
６３…Ｃボタン、６４…Ｄボタン、７０…情報表示部、２７０…第１小時計、２７２…積
算分表示、２８０…第２小時計、２８２…衛星捕捉数表示、８５，２８３…受信結果表示
、２８４…時刻秒表示、２９０…第３小時計、２９２…積算時表示、８４，２９３…サマ
ータイム表示、８３，２９４，３８３…充電量表示、８２，２９５，３８２…受信禁止表
示、８１，２９６，３８１…受信モード表示、１１０…アンテナ体、１２０…回路基板、
１２２…受信部、１２５…地板、１３０…二次電池、１３５…ソーラーパネル、１４０…
駆動機構、１５０…制御部、１５３…ＣＰＵ、１５４…ＲＡＭ、１５５…ＲＯＭ、１５７
…入力装置、１５９…データバス。
【図１】
2015169496.tif 000003
【図２】
2015169496.tif 000004
【図３】
2015169496.tif 000005
【図４】
2015169496.tif 000006
【図５】
2015169496.tif 000007
【図６】
2015169496.tif 000008
【図７】
2015169496.tif 000009
【図８】
2015169496.tif 000010